(57)【要約】 【課題】  各躯体の相対変位を円滑に許容することができ、かつ簡単な構造の伸縮案内構造を提供する。【解決手段】  伸縮案内装置１は、空隙４をあけて隣接する２つの躯体３ａ，３ｂ間にわたって装着されるカバー体５を有し、カバー体５は、一端部８が第１躯体３ａに係止され、他端部５３が第２躯体３ｂに移動可能に支持される。第２躯体３ｂには、カバー体５を移動可能に支持する第１支持面７３と、第１躯体３ａから離反するにつれて上方に向かって傾斜する案内面６２と、カバー体５から第１躯体３ａに対して離反する方向に突出するように形成される第１補助カバー部材６を支持する第２支持面７５と、立ち上がり面９１と、床面６５とが形成され、第１補助カバー部材６の先端２６と立ち上がり面９１との距離Ｌ１と被案内面６０と第１支持面７３との距離Ｌ２との関係がＬ１＞Ｌ２となるように構成される。【選択図】      図１
2006138124.tif 000002
【特許請求の範囲】
【請求項１】
空隙をあけて隣接する２つの躯体間にわたって装着され、一端部が一方の躯体に係止され、他端部が他方の躯体に移動可能に支持されるカバー体を含み、
前記他方の躯体には、前記一方に躯体の対向する第１対向壁面の上端から前記一方の躯体に対して離反する方向に延び、前記カバー体の他端部を移動可能に支持する第１支持面と、第１支持面から前記一方の躯体に対して離反するにつれて上方に向かって傾斜する第１案内面と、第１案内面の上端から前記一方の躯体に対して離反する方向に延びる第２支持面と、第２支持面から立ち上がる立ち上がり面と、立ち上がり面の上端から前記一方の躯体に対して離反する方向に延びる床面とが形成され、
カバー体の他端部には、前記一方の躯体に対して離反する方向に突出し、かつ第２支持面に支持される第１補助カバー部材が形成され、
第１補助カバー部材の前記カバー体の他端部から一方の躯体に対して離反する方向に最も離反する端面と前記立ち上がり面との距離Ｌ１と、カバー体の他端部の端面と第１案内面との距離Ｌ２との関係がＬ１＞Ｌ２に選ばれることを特徴とする伸縮案内構造。
【請求項２】
前記カバー体の他端部の下端は、前記一方の躯体に対して離反するにつれて上方に向かって傾斜して形成されることを特徴とする請求項１に記載の伸縮案内構造。
【請求項３】
前記カバー体は、他端部から離隔する位置に形成され、かつ第１支持面に移動可能に支持される被支持部材を備え、
前記被支持部材は、前記一方の躯体に対して離反する方向に臨む表面が、前記一方の躯体に対して離反するにつれて上方に向かって傾斜して形成されることを特徴とする請求項１または２に記載の伸縮案内構造。
【請求項４】
第１案内面の第１対向壁面に平行かつ水平な方向一端には、前記一方の躯体に対して近接する方向に延び、上方に立ち上がる第２案内面が連なって形成され、
前記カバー体は、カバー体の他端部の他端部によって形成されるコーナ部であって、第２案内面に近接するコーナー部の端面が、その先端に向かうにつれて外方に凸に湾曲することを特徴とする請求項１〜３のいずれか１つに記載の伸縮案内構造。
【請求項５】
前記２つの躯体には、複数のカバー体が互いに隣接してそれぞれ装着され、
互いに隣接する２つのカバー体は、互いに対向する各対向端部のうち少なくとも一方の対向端部に、隣接するカバー体に対して近接する方向に突出する第２補助カバー部材が形成されることを特徴とする請求項１〜４のいずれか１つに記載の伸縮案内構造。
【請求項６】
前記第２補助カバー部材は、隣接するカバー体に臨む端縁が、外方に凸であって、上下方向に湾曲して形成されることを特徴とする請求項５に記載の伸縮案内構造。
【請求項７】
カバー体は、格子状に形成されるカバー体本体を含むことを特徴とする請求項１〜６のいずれか１つに記載の伸縮案内構造。
【請求項８】
他方の躯体には、一方の躯体に対向する第１対向壁面の水平方向一端から第１対向壁面に対して離反する方向に延びる第２対向壁面であって、一方の躯体に対向する第２対向壁面と、第２対向壁面の上端から一方の躯体に対して離反する方向に延び、第１支持面に連なる第３支持面と、第３支持面の一端から一方の躯体に対して離反するにつれて上方に傾斜する第２案内面であって、第１案内面と不連続である第２案内面と、第２案内面の上端から一方の躯体に対して離反する方向に延びる第４支持面であって、その一端に立ち上がり面が連なる第４支持面とがさらに形成されることを特徴とする請求項１〜７のいずれか１つに記載の伸縮案内構造。
【発明の詳細な説明】
【技術分野】
【０００１】
本発明は、互いに隣接する２つの躯体によって形成される空隙を塞ぎ、かつ地震など各躯体の相対変位を許容することができる伸縮案内構造に関する。
【背景技術】
【０００２】
２つの床などの躯体間に空隙が介在する場合、この躯体間を安全かつ円滑に通行するために、伸縮案内構造を構成するカバー体によって空隙が塞がれている。伸縮案内構造は、地震などによる急激な各躯体間の相対変位を許容して、前記空隙を塞いだ状態に維持することができる。
【０００３】
第１の従来の技術の伸縮案内構造が適用された床用目地カバー体ユニットは、空隙をあけて隣接する２つの躯体間にわたって装着されるカバー体を有する。カバー体は、一端部が一方の躯体に係止され、他端部が他方の躯体に移動可能に支持される。カバー体の他端面は、一方の躯体に対して離反するにつれて上方に傾斜して形成される。他方の躯体には、一方の躯体に対して離反するにつれて上方に傾斜し、かつカバー体の他端面に平行な案内面が形成される。このようにして構成される床用目地カバー装置は、各躯体が相対変位すると、カバー体の他端面が案内面によって上方に案内されて床面を回避する。これによってカバー体は、前記空隙を塞いだ状態を維持しつつ、躯体の相対変位を許容することができる。
【０００４】
第２の従来の技術の伸縮案内構造が適用された床用伸縮継手装置は、空隙をあけて隣接する２つの躯体間にわたって装着されるカバー体を有する。各躯体には、前記両端部を移動可能に支持する支持体が固定される。カバー体は、その両端部の下面にカバー体が支持体上を移動するためにボールキャスタが設けられる。カバー体の両端部の上端には、カバー体に対して離反する方向に突出する見切りカバー体が設けられる。各支持体は、各躯体が互いに近接する方向に相対変位する際、カバー体の両端部を案内して各躯体の見切り部を回避可能に、その見切り部近傍が傾斜して形成される。このようにして構成されるカバー体は、ボールキャスタによって支持体上を移動することができるので、各躯体が互いに近接する方向に相対変位すると、前記空隙を塞いだ状態を維持しつつ、各躯体の相対変位を許容することができる。
【０００５】
【特許文献１】特開２０００−６４４４１号公報
【特許文献２】特開２００３−２６８８８９号公報
【発明の開示】
【発明が解決しようとする課題】
【０００６】
第１の従来の技術の床用目地カバー装置は、各躯体が互いに近接する方向に相対変位する場合、カバー体の他端部が案内面上を摺動して見切り部を回避するけれども、カバー体の他端部と案内面とが対向しているので、摺動する際の他端部と案内部との接触面積が大きい。接触面積が大きくなると、各面部に形成される微小な突起部同士の引っ掛かりが多くなり、案内面に対するカバー体の摺動抵抗が増す。このためカバー体は、案内面上を移動しにくくなり、各躯体の相対変位が規制され、円滑に許容することができない。またカバー体の他端面に傾斜に平行に案内面が形成される。したがって施工において誤差を吸収しにくく、調整が困難などの問題が生じる。
【０００７】
第２の従来の技術の床用伸縮継手装置は、第１の従来の技術の課題を克服すべくカバー体の両端部の下面にボールキャスタが形成される。これによってカバー体は、支持体に対する摺動抵抗を低減することができるけれども、ボールキャストによって支持体の傾斜面を上昇する際大きな荷重が必要となる。このため各躯体の相対変位を円滑に許容することができない。床用伸縮継手装置は、見切りカバー体が支持体の上面に支持され、見切りカバー体の上面と床の上面との間に見切りカバー体の厚み程度の段差が生じる。この段差をなくすために支持体の上面の高さを調整すると、各躯体が互いに近接する方向に相対変位する際、見切りカバー体が見切り部に引っ掛かる。これによって各躯体の相対変位を円滑に許容することができない。またボールキャスタを設ける必要があり構造が複雑である。
【０００８】
本発明の目的は、各躯体の相対変位を円滑に許容することができ、かつ簡単な構造の伸縮案内構造を提供することである。
【課題を解決するための手段】
【０００９】
本発明は、空隙をあけて隣接する２つの躯体間にわたって装着され、一端部が一方の躯体に係止され、他端部が他方の躯体に移動可能に支持されるカバー体を含み、
前記他方の躯体には、前記一方の躯体の対向する第１対向壁面の上端から前記一方の躯体に対して離反する方向に延び、前記カバー体の他端部を移動可能に支持する第１支持面と、第１支持面から前記一方の躯体に対して離反するにつれて上方に向かって傾斜する第１案内面と、第１案内面の上端から前記一方の躯体に対して離反する方向に延びる第２支持面と、第２支持面から立ち上がる立ち上がり面と、立ち上がり面の上端から前記一方の躯体に対して離反する方向に延びる床面とが形成され、
カバー体の他端部には、前記一方の躯体に対して離反する方向に突出し、かつ第２支持面に支持される第１補助カバー部材が形成され、
第１補助カバー部材の前記カバー体の他端部から一方の躯体に対して離反する方向に最も離反する端面と前記立ち上がり面との距離Ｌ１と、カバー体の他端部の端面と第１案内面との距離Ｌ２との関係がＬ１＞Ｌ２に選ばれることを特徴とする伸縮案内構造である。
【００１０】
本発明に従えば、カバー体は、空隙を空けて隣接する２つの躯体間にわたって装着され、一端部が一方の躯体に係止され、他端部が他方の躯体に移動可能に支持される。他方の躯体には、第１支持面と第１案内面と第２支持面と立ち上がり面と床面とが形成される。第１支持面は、前記一方の躯体に対向する第１対向壁面の上端から前記一方の躯体に対して離反する方向に延び、前記カバー体の他端部を移動可能に支持する。第１案内面は、第１支持面から前記一方の躯体に対して離反するにつれて上方に向かって傾斜する。第２支持面は、第１案内面の上端から前記一方の躯体に対して離反する方向に延びる。立ち上がり面は、第２支持面から立ち上がる。床面は、立ち上がり面の上端から前記一方の躯体に対して離反する方向に延びる。カバー体の他端部には、前記一方の躯体に対して離反する方向に延び、かつ第２支持面に支持される第１補助カバー部材が形成される。第１補助カバー部材は、距離Ｌ１と距離Ｌ２との関係がＬ１＞Ｌ２に選ばれて形成される。距離Ｌ１は、第１補助カバー部材の前記カバー体の他端部から前記一方の躯体に対して離反する方向に最も離隔する端面と立ち上がり面との距離である。距離Ｌ２は、カバー体の他端部の端面と第１案内面との距離である。
【００１１】
カバー体は、空隙をあけて隣接する２つの躯体間にわたって装着され、前記空隙を覆う。カバー体は、一端部が一方の躯体に係止され、他端部が他方の躯体に移動可能に支持されるので、前記２つの躯体が相対変位しても、一方の躯体の相対変位に追従し、他方の躯体に対して相対変位する。さらに第１支持面から前記一方の躯体に対して離反するにつれて上方に傾斜する第１案内面が形成されるので、各躯体が近接する方向に相対変位すると、カバー体は、第１案内面によって上方に案内される。距離Ｌ１と距離Ｌ２との関係がＬ１＞Ｌ２であるので、カバー体が他方の躯体上を移動する際、第１補助カバー部材が立ち上がり面に当接せずに、立ち上がり面を回避することができる。
【００１２】
また本発明は、前記カバー体の他端部の下端は、前記一方の躯体に対して離反するにつれて上方に向かって傾斜して形成されることを特徴とする。
【００１３】
本発明に従えば、カバー体の他端部の下端は、一方の躯体に対して離反するにつれて上方に向かって傾斜して形成される。これによってカバー体の他端部の下端が立ち上がり面の上端と万一当接した場合は、各躯体が互いに近接する方向に相対変位すると、カバー体は、立ち上がり面の上端によって上方に案内され立ち上がり面に乗り上がることになる。
【００１４】
また本発明は、前記カバー体は、他端部から離隔する位置に形成され、かつ第１支持面に移動可能に支持される被支持部材を備え、
前記被支持部材は、前記一方の躯体に対して離反する方向に臨む表面が、前記一方の躯体に対して離反するにつれて上方に向かって傾斜して形成されることを特徴とする。
【００１５】
本発明に従えば、カバー体は、第１支持面に移動可能に支持され、かつ他端部から離隔する位置に形成される被支持部材を備えるので、カバー体は、カバー体の他端部と被支持部材とが第１支持面に移動可能に支持される。被支持部材の前記一方の躯体に対して離反する方向に臨む表面が前記一方の躯体に対して離反するにつれて上方に向かって傾斜して形成される。これによって被支持部材の前記表面が他方の躯体の第１対向壁面の上端に当接して、各躯体が互いに近接する方向に相対変位すると、被支持部材は、第１対向壁面の上端によって上方に案内され第１支持面に乗り上がる。
【００１６】
また本発明は、第１案内面の第１対向壁面に平行かつ水平な方向一端には、前記一方の躯体に対して近接する方向に延び、上方に立ち上がる第２案内面が連なって形成され、
前記カバー体は、カバー体の他端部によって形成されるコーナ部であって、第２案内面に近接するコーナ部の端縁が、その先端に向かうにつれて外方に凸に湾曲して形成されることを特徴とする。
【００１７】
本発明に従えば、第１案内面の第１対向壁面に平行かつ水平な方向の一端には、前記一方の躯体に対して近接する方向に延び、上方に立ち上がる第２案内面が連なって形成される。したがって第１および第２案内面によって、隅角部が形成される。カバー体の他端部によって形成されるコーナ部のうち、第２案内面に近接するコーナ部は、その端縁が先端に向かうにつれて外方に凸に湾曲して形成される。このようにして形成されると、カバー体は、隅角部の先端から離隔する位置にコーナ部が当接する。したがってコーナ部が隅角部の先端に噛み込む、いわゆる楔効果が生じることを防ぐことができる。
【００１８】
また本発明は、前記２つの躯体には、複数のカバー体が互いに隣接してそれぞれ装着され、
互いに隣接するカバー体は、互いに対向する各対向端部のうち少なくとも一方の対向端部に、隣接するカバー体に対して近接する方向に突出する第２補助カバー部材が形成されることを特徴とする。
【００１９】
本発明に従えば、複数のカバー体が、２つの躯体間に互いに隣接してそれぞれ装着される。互いに隣接するカバー体は、互いに対向する各対向端部のうち少なくとも一方の対向端部に、隣接するカバー体に対して近接する方向に突出する第２補助カバー部材が形成される。このようにして形成される第２補助カバーは、互いに隣接する２つのカバー体の間に間隙を介在させる。これによって互いに隣接する２つのカバー体が接触することを抑制する。
【００２０】
また本発明は、前記第２補助カバー部材は、隣接するカバー体に臨む端縁が、外方に凸であって、上下方向に湾曲して形成されることを特徴とする。
【００２１】
本発明に従えば、第２補助カバー部材は、隣接するカバー体に臨む端縁が外方に凸であって、上下方向に湾曲して形成される。このように第２補助カバー部材の端縁が形成されるので、第２補助カバー部材は、その端縁に当接する部材を上方または下方に案内して回避させることができる。
【００２２】
また本発明は、カバー体は、格子状に形成されるカバー体本体を含むことを特徴とする。
【００２３】
本発明に従えば、カバー体は、格子状のカバー体本体を有する。カバー体本体が格子状に形成されるので、カバー体は、雨などの液体を透過させて空隙に導くことができる。
【００２４】
また本発明は、他方の躯体には、一方の躯体に対向する第１対向壁面の水平方向一端から第１対向壁面に対して離反する方向に延びる第２対向壁面であって、一方の躯体に対向する第２対向壁面と、第２対向壁面の上端から一方の躯体に対して離反する方向に延び、第１支持面に連なる第３支持面と、第３支持面の一端から一方の躯体に対して離反するにつれて上方に傾斜する第２案内面であって、第１案内面と不連続である第２案内面と、第２案内面の上端から一方の躯体に対して離反する方向に延びる第４支持面であって、その一端に立ち上がり面が連なる第４支持面とがさらに形成されることを特徴とする。
【００２５】
本発明に従えば、他方の躯体には、第２対向壁面と第３支持面と第２案内面と第４支持面とがさらに形成される。第２対向壁面は、第１対向壁面の水平方向一端から第１対向壁面に対して離反する方向に延び、一方の躯体に対向する壁面である。第１支持面は、第１対向壁面の上端から一方の躯体に対して離反する方向に延び、カバー体の他端部を移動可能に支持する面である。第２案内面は、第３支持面から一方の躯体に対して離反するにつれて上方に向かって傾斜し、第１案内面と不連続な面である。第４支持面は、第２案内面の上端から一方の躯体に対して離反する方向に延び、立ち上がり面に連なる面である。
【００２６】
このようにして第３支持面、第２案内面および第４支持面が形成され、第２案内面が傾斜して形成されているので、２つの躯体が互いに近接する方向に相対変位すると、カバー体の他端部は、第２案内面に沿って上方に移動することができる。これによってカバー体の他端部は、立ち上がり面を回避することができる。さらに第１案内面と第２案内面とが不連続に形成されるので、第１案内面と第２案内面とが連なるときに形成される隅角部がなくなる。これによって、カバー体が角部に噛み込むことがない。これによって楔効果が生じることを防止できる。
【発明の効果】
【００２７】
本発明によれば、カバー体は、２つの躯体間に形成される空隙を覆い、各躯体が近接および離反する方向に相対変位すると、一方の躯体の相対変位に追従し、他方の躯体に対して相対変位する。カバー体が他方の躯体に対して相対変位する際、カバー体の他端部が第１案内面を摺動し、カバー体が上方に案内される。距離Ｌ１と距離Ｌ２との関係がＬ１＞Ｌ２であるので、第１補助カバー部材は、カバー体が他方の躯体上を移動する際、立ち上がり面に当接せずに回避することができる。これによってカバー体は、２つの躯体間に形成される空隙を覆うことができる。カバー体は、第１補助カバー部材が立ち上がり面に当接することが未然に防止されているので、他方の躯体上を円滑に移動することができる。したがって、伸縮案内構造は、各躯体の相対変位を円滑に許容することができる。さらに第１補助カバー部材が立ち上がり面に当接せずに回避することができるので、カバー体に大きな荷重が作用しても、第１補助カバー部材が突っ張って損傷することがない。このような簡単な構造で、第１補助カバー部材が立ち上がり面を回避することができるので、従来よりも部品点数を削減することができる。これによって製造コストを削減することができる。
【００２８】
本発明によれば、カバー体の他端部の下端が一方の躯体に対して離反するにつれて上方に向かって傾斜して形成されるので、カバー体の他端部の下端が立ち上がり面の上端と万一当接し、各躯体が近接する方向に相対変位する場合であっても、カバー体は、立ち上がり面の上端によって上方に案内され立ち上がり面の上端に乗り上げる。このようにカバー体の他端部の下端部は、立ち上がり面の上端に乗り上げて回避することができる。これによってカバー体の他端部の下端部が立ち上がり面に引っ掛かる不具合を防止し、各躯体の相対変位が円滑に許容される。さらに前記不具合に基づくカバー体の他端部の下端の破損を防止できる。またカバー体の他端部の下端が傾斜して形成されるので、従来のように他端部の表面全体を第１案内面に沿って形成する必要がない。これによって従来よりも、施工において誤差を吸収しやすく、カバー体の位置などの調整が容易になる。
【００２９】
本発明によれば、カバー体は、カバー体の他端部と被支持部材とによって第１支持面に移動可能に支持されるので、第１および第２の従来の技術より第１支持面に接触する接触面積が小さい。接触面積が小さいと、互いに接触する面に形成される微小な突起部同士の引っ掛かりが少なくなり、摺動抵抗を低減することができる。したがってカバー体は、従来より第１支持面に対する摺動抵抗を低減することができる。これによって各躯体の相対変位を円滑に許容することができる。
【００３０】
さらにカバー体の他端部と被支持部材とによって、カバー体と第１支持面との間に部分的に間隙が生じる。したがって第１支持面上に堆積する砂およびごみなどを間隙を介して空隙に排出することができる。これによってカバー体と躯体との間に堆積する砂などを速やかに空隙に排出され、砂およびごみなどの堆積物によって生じる目詰まりなどが生じることを抑制する。これによってカバー体が第１支持面を円滑に移動することができ、２つの躯体の相対変位を円滑に許容することができる。
【００３１】
さらに被支持部材は、被支持部材の一方の躯体に対して離反する方向に臨む表面が第１対向壁面の上端に当接して、各躯体が互いに近接する方向に相対変位すると、第１対向壁面の上端によって上方に案内され第１支持面に乗り上がる。これによって被支持部材と第１対向壁面とが引っ掛かる不具合を防止でき、各躯体の相対変位を円滑に許容することができる。さらに前記不具合に基づく前記表面の破損を防止できる。
【００３２】
本発明によれば、カバー体の他端部のコーナー部が第１および第２案内面とによって形成される隅角部の先端に噛み込むこと、いわゆる楔効果が生じることを防ぐことができる。これによって第２案内面が形成されても、カバー体は円滑に第１案内面を移動することができる。したがって各躯体の相対変位を円滑に許容することができる。
【００３３】
本発明によれば、カバー体に第２補助カバー部材が形成されるので、２つの躯体間に装着される互いに隣接するカバー体の間に間隙が形成される。この間隙は、各躯体が互いに近接および離隔する方向に相対変位する際のカバー体同士の接触を防止する。これによって、カバー体同士の接触にともなうカバー体の破損および接触音を防ぐことができる。カバー体同士が接触および引っ掛かる不具合を防止し、各躯体の相対変位を円滑に許容することができる。
【００３４】
本発明によれば、第２補助カバー部材は、隣接するカバー体に臨む端縁が湾曲して形成される。したがって部材と第２補助カバー部材とが互いに近接する方向に相対変位して第２補助カバー部材の前記端縁に部材が当接しても、この部材を端縁に沿って上方または下方に案内して回避することができる。これによって複数のカバー体が互いに近接する方向に相対変位しても、第２補助カバー部材は、当接する部材を上方および下方のいずれか一方に案内して回避し、部材が当接したまま引っ掛かる不具合を防止する。引っ掛かる不具合を防止することによって、各躯体が相対変位することを円滑に許容することができる。さらに前記不具合に基づく第２補助カバー部材の前記端面の破損を防止する。
【００３５】
本発明によれば、カバー体は、格子状に形成されるカバー体本体を有するので、雨などの液体を透過させて空隙に導くことができる。これによってカバー体は、空隙を覆いつつ液体を空隙に導くことができ、人および物体が空隙に嵌り込むことを抑制し、排水性を確保する。
【００３６】
本発明によれば、カバー体は、その他端部が第２案内面に沿って移動し、立ち上がり面を回避することができる。他方の躯体には、第１案内面と第２案内面とが不連続であるので、カバー体のコーナー部が噛み込む隅角部が形成されない。これによってカバー体のコーナー部が、隅角部の先端に噛み込むことが防止され、楔効果が生じることを防止できる。これによってカバー体の他端部は、２つの躯体が互いに近接する方向に変位すると、第４支持面の上端に形成される立ち上がり面を回避できるとともに、円滑に第１および第２案内面を移動することができる。したがって各躯体の相対変位を円滑に許容することができる。
【発明を実施するための最良の形態】
【００３７】
図１は、本発明の伸縮案内構造が適用される実施の第１の形態である伸縮案内装置１の係止手段２によって係止される位置における構成を示す鉛直断面図である。図２は、伸縮案内装置１を上方から見た平面図である。以下では、２つの躯体３ａ，３ｂを図１に示すように正面側から左右に見て、各躯体３ａ，３ｂが近接および離反する方向をＸ方向、各躯体３ａ，３ｂの手前および奥行きに相当する方向をＹ方向、および各床の高さ方向をＺ方向とする。以下に、本実施の形態の伸縮案内装置１について説明する。
【００３８】
道路および建物などの躯体３ａ，３ｂに流れる水を排除するために、互いに隣接する２つの躯体３ａ，３ｂ間には、排水溝である空隙４が介在する。この空隙４を安全かつ円滑に通行するために空隙４を覆う状態を維持し、かつ急激な地震および地盤の不等沈下などによる各床のＸ方向、Ｙ方向およびＺ方向の３方向成分が合成される相対変位を許容するカバー体５が２つの躯体３ａ，３ｂ間にわたって装着される。
【００３９】
伸縮案内装置１には、カバー体５、第１補助カバー部材６および第２補助カバー部材７とが含まれる。カバー体５は、空隙４をあけて隣接する２つの躯体３ａ，３ｂ間にわたって装着され、第１方向一端部８が一方の躯体３ａである第１躯体３ａに係止されて、カバー体５の第１方向他端部５３が他方の躯体３ｂである第２躯体３ｂに移動可能に支持される。第２躯体３ｂには、案内部材９が含まれ、案内部材９は、各躯体３ａ，３ｂが互いに近接する方向に相対変位する際、カバー体５の第１方向他端部５３が摺動し、カバー体５を上方に案内して第２躯体３ｂの見切り部分を回避させて、各躯体３ａ，３ｂの互いに近接する方向の相対変位を許容させる。カバー体５の第１方向他端部５３には、第１躯体３ａに対して離反する方向に突出する第１補助カバー部材６が形成される。対向端部であるカバー体５の第２方向一端部には、カバー体５に対して離反する方向に突出する第２補助カバー部材７が形成される。カバー体５の第１方向は、装着状態でＸ方向となる方向（図２では、上下方向）であり、カバー体５の第２方向は、装着状態でＹ方向となる方向（図２では、左右方向）である。装着状態は、カバー体５の一端部８が第１躯体３ａに係止され、他端部５３が第２躯体３ｂに支持されて、第１および第２躯体３ａ，３ｂに装着される状態である。
【００４０】
図３は、カバー体５の第１方向一端部８付近の拡大断面図である。図４は、カバー体５の第１方向一端部８付近の拡大平面図である。図１および図２を参照して、以下説明する。カバー体５は、いわゆるグレーチングであり、液体を上方から下方へ透過させることができる。カバー体５には、カバー体本体１０、端版１５、仕切り版１７、被支持体１９、第１被支持部材２１、被案内部２７、第２被支持部材２８および第３被支持部材３２が含まれる。カバー体本体１０は、格子状構造体であり、第２方向に等間隔に配置される複数のベアリングバー１１と、ベアリングバー１１を第２方向に連結し、第１方向に等間隔に配置される複数のクロスバー１２とが格子状に配置されて構成される。このようにして構成されるカバー体本体１０は、第１および第２方向に垂直な上下方向に貫通する複数の透孔１３を有する。カバー体５の上下方向は、装着状態でのＺ方向と同義である。ベアリングバー１１およびクロスバー１２は、鋼鉄製またはステンレス鋼製の部材であり、互いに溶接される。
【００４１】
カバー体本体１０の第１方向一端部１４は、その開口部が第２方向に延びる板状部材の端版１５によって塞がれている。カバー体本体１０の第１方向一端部１４側には、係止手段２によってカバー体５を第１躯体３ａに係止するために被支持体１９が設けられる。被支持体１９は、第２方向に延びる板状部材であり、鋼鉄製またはステンレス鋼製のフラットバーによって構成される。被支持体１９には、カバー体５の上下方向に貫通し、ボルトを挿通可能な複数のボルト挿通孔２０が形成される。各ボルト挿通孔２０は、隣接するボルト挿通孔２０に対して第２方向に等間隔をあけてそれぞれ形成される。被支持体１９は、周縁部が２つのベアリングバー１１および仕切り版１７の下端部に連結される。仕切り版１７は、カバー体本体１０の第１方向他端部１４よりで、被支持体１９の端部から上方に向かって立ち上がように形成される板状部材であり、端版１５に平行に配置され、その両端部が互いに離隔する２つのベアリングバー１１にそれぞれ連結される。被支持体１９は、複数のベアリングバー１１に溶接して固定される。端版１５、被支持体１９、仕切り版１７、および２つのベアリングバー１１は、凹部１８を形成する。凹部１８に面して、係止手段２の大部分が収納される。
【００４２】
図５は、カバー体５の第１方向他端部５３付近の拡大平面図である。図１および図２を参照して、以下説明する。カバー体本体１０の第１方向他端部２２には、その開口部を塞ぐ取付片２３が設けられる。取付片２３は、第２方向に延びるＬ字状の部材であり、上方に立ち上がり第１方向他端部２２の開口部を塞ぐ端版部２４と、端版部２４の上端から第１方向に突出する取付部２５とを含んで構成される。カバー体本体１０の第１方向他端部２２の上端には、第１方向に突出する第１補助カバー部材６が設けられる。第１補助カバー部材６は、一部が前記取付部２５の上面に支持され、残余部が取付部２５から第１方向に突出して、カバー体本体１０に取付けられる。第１補助カバー部材６は、第２方向に延びる板状部材であり、たとえば縞鋼板であり、カバー体本体１０の第１方向他端部２２および取付部２５に溶接される。
【００４３】
カバー体本体１０の下面部の第１方向他端部２２には、第１被支持部材２１が形成される。第１被支持部材２１は、第２方向に延びる板状部材であり、鋼鉄製またはステンレス鋼製のフラットバーによって構成され、複数のベアリングバー１１に溶接されてカバー体本体１０に固定される。第１被支持部材２１の第１方向に臨む表面部には、被案内部２７が形成される。カバー体の他端部の下端である被案内部２７は、第２方向に延び、カバー体本体１０の第１方向一端部１４から他端部２２に向かう方向に臨む第１被案内面６０が第１被支持部材２１から離反するにつれて上方に傾斜して形成される。被案内部２７の上端は、取付片２３の端版部２４の下端に連結される。被案内部２７は、第１被支持部材２１と取付片２３とを溶接した肉盛を前記形状に削ることによって形成される。
【００４４】
図６は、カバー体５の第２被支持部材２８付近の拡大断面図である。図１および図２を参照して、以下説明する。被支持部材である第２被支持部材２８は、カバー体本体１０の下面部に第１被支持部材２１から離隔する位置に形成される。第２被支持部材２８は、第２方向に延びる板状の部材であり、鋼鉄製またはステンレス鋼製のフラットバーによって構成され、複数のベアリングバー１１に溶接されてカバー体本体１０に固定される。第２被支持部材２８は、カバー体本体１０の第一方向一端部１４から他端部２２に向かう方向に臨む第２被案内面２９が第２被支持部材２８に対して離反するにつれて上方に傾斜して形成される。
【００４５】
図７は、図２の断面線Ｉ−Ｉから見たカバー体５の一部の拡大断面図である。図８は、矢符Ａから見たカバー体の一部の拡大図である。図９は、矢符Ｂから見たカバー体の一部の拡大図である。カバー体本体１０の第２方向一端部３０は、カバー体本体１０の第１方向一端部１４から他端部２２に向かうにつれて、カバー体本体１０の第２方向他端部３１から一端部３０に向かって傾斜するように形成される。具体的には、カバー体本体１０の第２方向一端部３０は、カバー体本体の第１方向他端部２２に対して、４５度の角度に傾斜して形成される。カバー体本体１０の第２方向一端部３０には、その開口部を塞ぐように第３被支持部材３２が設けられる。第３被支持部材３２には、長手方向に延びる２つのフラットバー３２ａが、その間に間隙３２ｂを介在させて第２方向一端部３０に平行に配設される。ベアリングバー１１の下端から第１被支持部材２１の厚みだけ突出させてカバー体本体１０に設けられる。第３被支持部材３２は、その長手方向一端部が端版１５に連結され、他端部が取付片２３の端版部２４および被案内部２７に連結される。
【００４６】
第３被支持部材３２は、外方側に配置されるフラットバー３２ａの外方に臨む表面の下端に第３被案内面７８が形成される。第３被案内面７８は、第２方向他端３１から離反するにつれて上方に向かって傾斜して形成される。第３被案内面７８の上端は、第１被案内面６０の上端と高さが同一に形成される。このようにして配置される取付片２３および被案内部２７と第３被支持部材３２とは、上方から見た平面視でＶ字状の部材を形成する。その頂部である当接部７７は、その下端に第１被案内面６０と第３被案内面７８とが交差する部分である当接面７９が形成される。当接部７７は、取付部２５および被案内部２７と第３被支持部材３２とが接合する部分である。コーナ部である当接部７７は、カバー体５の上下方向に垂直な仮想平面で切断して見た断面がその先端に向かって外方に凸に湾曲している。具体的には、当接部７７は、その断面が扇状に形成される。被案内面である当接面７９は、当接部の先端に向かうにつれて、上方に向かって湾曲している。具体的には、当接面７７は、図２の矢符ＡおよびＢからそれぞれ見て円弧状に形成される。ただし、当接部７７および当接面７９は、このような形状に限定されない。
【００４７】
カバー体本体１０の第２方向一端部３０の上端には、第２方向一端部３０から離反する方向に突出する第２補助カバー部材７が設けられる。第２補助カバー部材７は、第２方向一端部３０に沿って延びる板状部材であり、その一部が第３被支持部材３２の上面に支持され、残余部が第３被支持部材３２から第２方向に突出して、第２方向一端部３０の上端に取付けられる。第２補助カバー部材７は、長手方向一端部が第１補助カバー部材６の一部に溶接される。第２補助カバー部材７の上面と第１補助カバー部材６の上面とカバー体本体１０の上面は、面一状に形成される。
【００４８】
第２補助カバー部材７は、そのカバー体本体１０から離反する方向の端縁３３（以下、「第２補助カバー部材７の端縁３３」と称する場合がある）が外方に凸に、上下方向に湾曲して形成される。具体的には第２補助カバー部材７の端縁３３は、その長手方向に垂直な仮想平面で切断して見た断面が円弧状に形成される。第２補助カバー部材７は、たとえば縞鋼板である。
【００４９】
このように配置すると、第１および第２補助カバー部材６，７は、上下方向平面視でＶ字状の補助カバー部材３４を形成する。補助カバー部材３４は、カバー体本体１０の第１方向他端部２２および第２方向一端部３０に、各端部２２，３０からカバー体本体１０に対して離反する方向に突出させて取付けられる。補助カバー部材３４は、そのＶ字状の頂部３５が上下方向に垂直な仮想平面で切断して見た断面が、その先端に向かって外方に凸に湾曲して形成される。具体的には、その断面が扇状に形成される。
【００５０】
次に、図１、３および４を参照して、第１躯体３ａの構成について説明する。第１躯体３ａは、第１床３７ａ、複数の係止手段２および支持手段３８を含んで構成される。本実施の形態では、係止手段は２つ形成される。２つの係止手段２は、第１床３７ａに前後方向Ｘに等間隔に設けられる。係止手段２には、ライナ３９とボルト４０と第１フレーム４１とワッシャー４２とばね部材４３とナット４４とキャップ４５と見きり部材４６とが含まれる。係止手段２は、カバー体５の第１方向一端部８を第１床３７ａに係止するために用いられ、第１床３７ａとともに第１躯体３ａを構成する。第１床３７ａには、第２躯体３ｂに対向する対向壁部の上端から第２躯体３ｂに対して離反する方向（図１および３で左方向）（以下、「左方向」と称する）に延びる固定面部４７、固定面部４７から下方に立ち下がる立ち下がり面部４８、立ち下がり面部４８の下端から左方向に延びる水平部４９が形成される。前記対向壁部の上端、固定面部４７のＸ方向両端および立ち下がり面部４８の下端は、互いに平行に形成される。固定面部４７には、Ｙ方向に延びる板状のライナ３９が固定される。ライナ３９には、Ｙ方向に等間隔に複数のボルト４０が埋め込まれている。各ボルト４０は、装着状態で、ボルト挿通孔２０を挿通し、頭部４０ａがライナ３９に埋め込まれて溶接され、ねじ部４０ｂをライナ３９から上方に突出させて設けられる。
【００５１】
ライナ３９には、Ｙ方向に延びるＬ字状の第１フレーム４１が溶接して固定される。第１フレーム４１は、板状の水平部４１ａと水平部の左端部からＺ方向上方に立ち上がる板状の立ち上がり部４１ｂとによって構成され、水平部４９ａにねじ部４０ｂが挿通可能なボルト孔４１ｃが複数形成される。第１フレーム４１の水平部４１ａは、ボルト孔４１ｃにボルト４０を挿通してライナ３９に溶接される。前記立ち上がり部４１ｂとライナ３９と立ち下がり面部４８とは、Ｌ字状に形成される複数の見切り部材４６が溶接される。見切り部材４６は、立ち上がり部４６ａと水平部４６ｂとによって構成される。立ち上がり部４６ａは、第１フレーム４１に溶接され、立ち下がり面部４８に固定される。水平部４６ｂは、水平面部４９に固定される。
【００５２】
第１フレーム４１の水平部４１ａには、各ボルト挿通孔２０に各ねじ部４０ｂを挿通させて被支持体１９が支持される。ねじ部４０ｂは、その一部がボルト挿通孔２０を挿通し被支持体１９から上方に突出する。ボルト挿通孔２０は、ねじ部４０ｂより大径に構成され、ねじ部４０ｂがＸ方向、Ｙ方向およびＺ方向に相対変位可能に挿通される。ねじ部４０ｂの外周縁部には、その外周がボルト挿通孔２０より大径に形成されるワッシャー４２が外装される。ワッシャー４２は、ねじ部４０ｂに外装される状態で、被支持体１９に支持される。ワッシャー４２は、ねじ部４０ｂの外周縁部に外装されるばね部材４３を支持するばね座を形成する。ばね部材４３は、ねじ部４０ｂに外装される。ばね部材４３は、たとえば皿ばねである。ただしこれに限定されるものでなく、コイルばねおよびゴムなどの弾性部材であってもよく、弾性変形可能な部材であればよい。ねじ部４０ｂの端部には、ナット４４が螺合され、ナット４４は、外装されるばね部材４３をワッシャー４２と協働して挟持する。
【００５３】
このようにして構成すると、被支持体１９は、ばね部材４３の弾性変形によってＺ方向の変位が許容され、ばね部材４３によってばね力が下方に付勢するように構成される。換言すると、カバー体５は、床３７ａ，３７ｂに係止される一端部を中心にＺ方向の角変位が許容され、角変位しても装着状態に復帰することができる。係止手段２では、第１フレーム４１と端版１５との間に間隙を形成し、第１フレーム４１と端版１５とが当接してカバー体５の角変位を制限することを抑制する。カバー体５に形成される凹部１８には、凹部１８に水などの液体が流入することを防ぐためにキャップ４５が嵌合される。キャップ４５は、たとえばゴムによって構成される。このようにして構成されるカバー体５において、カバー体５の第１方向一端部８は、カバー体本体１０の第１方向一端部１４側の端部であり、カバー体５の第１方向他端部５３は、カバー体本体１０の第１方向他端部２２側の端部である。
【００５４】
図１、２、５および６を参照して、第２躯体３ｂについて説明する。第２躯体３ｂは、第２床３７ｂに支持手段３８を設けることによって形成される。支持手段３８には、台座５０と第２フレーム５１と滑板５２と案内部材９とが含まれる。支持手段３８は、カバー体５の第１〜第３被支持部材２１，２８，３２を移動可能に支持し、各躯体３ａ，３ｂが互いに近接する方向に相対変位する場合、カバー体５の第１方向他端部５３を上方に案内する。第２床３７ｂには、第１床３７ａに対向する対向壁部５４の上端から前記第１躯体３ａに対して離反する方向（図１、５および６で右方向）（以下、「右方向」と称する場合がある）に延びる水平面部５５と、水平面部５５から上方に立ち上がる立ち上がり部５６と、立ち上がり部５６の上端から右方向に延びる床面部６１とが含まれる。対向壁部５４の上端、水平面部５５のＸ方向両端、立ち上がり部５６の上端は、互いに平行に形成される。第２床３７ｂの水平面部５５には、Ｘ方向に延びる複数の台座５０がＹ方向に等間隔に配置される。台座５０は、Ｚ方向に延びる柱部と、柱部の一端部からＹ方向一方に延びる第１水平部と、柱部の他端部からＹ方向他方に延びる第２水平部とが含まれる。台座５０は、Ｘ方向に延びる２つのＬ字状部材を互いに溶接またはボルトで固定することによって形成される。台座５０は、その第２水平部が水平面部５５に支持されて設けられる。
【００５５】
台座５０の第１水平部の上面部には、第２フレーム５１が設けられる。第２フレーム５１には、上方に立ち上がる第１立ち上がり部５７と、第１立ち上がり部５７の上端から右方向に延び、複数の台座５０に支持される水平部５８と、水平部５８から上方に立ち上がる第２立ち上がり部５９とが含まれる。第２フレーム５１は、Ｙ方向に延びる板状の部材であり、たとえば鋼鉄製またはステンレス製の部材である。第２フレーム５１は、水平部５８が複数の台座５０にわたって支持され、第１立ち上がり部５７が他方の対向壁部５４の上端部および台座５０のＸ方向左端部に固定され、第２立ち上がり部５９が第２床３７ｂの立ち上がり部５６に固定される。
【００５６】
第２立ち上がり部５９の上端は、床面部６１の上面、すなわち床面６５と面一となるように形成される。第２フレーム５１の水平部５８には、Ｙ方向に等間隔に複数の滑板５２が設けられる。滑板５２は、Ｘ方向に延びる板状の部材であり、Ｘ方向の長さが水平部５８のＸ方向の長さより短尺に形成される。滑板５２は、そのＸ方向の一端部の端面が第２フレーム５１の立ち上がり部５７の第１床３７ａに対向する表面と面一に配置される。滑板５２は、装着状態で第１および第２被支持部材２８を移動可能に支持する。滑板５２は、たとえばテフロン（登録商標）加工されたゴムによって構成され、各床３７ａ，３７ｂが相対変位する際、前記第１および第２被支持部材２８が円滑に移動できるように構成される。
【００５７】
第２フレーム５１の水平部５８および第２立ち上がり部５９には、案内部材９が固定される。案内部材９は、Ｙ方向に延びる板状部材であり、右方向に向かうにつれて上方に向かって傾斜する案内部６２と、案内部６２上端から右方向に延びる支持部６３とを含んで構成される。案内部材９は、案内部６２側の端部が第２フレーム５１の水平部５８に溶接されて固定され、支持部６３側の端部が第２フレーム５１の第２立ち上がり部５９に溶接されて固定される。案内部６２は、右方向に向かうにつれて上方に傾斜する斜板であり、各躯体３ａ，３ｂが互いに近接する方向に相対変位すると、被案内部２７が当接する。被案内部２７は、その第１被案内面６０の第１被支持部材２１の下面に対する傾斜角が案内部６２の被案内部２７に臨む表面、すなわち第１案内面である案内面６４の第２フレーム５１の水平部５８に対する傾斜角θと同一となるように形成される。ただしこのような傾斜角に限定されず、被案内部２７の傾斜角と案内面６４傾斜角θとが互いに異なる傾斜角であってもよい。支持部６３は、装着状態で、上面に第１補助カバー部材６を支持し、この状態で第１補助カバー部材６の上面と床面６５とが段差を生じないように構成される。具体的には、支持部６３は、その上面が床面６５から第１補助カバー部材６の厚みだけ下方に配置されて第２フレーム５１の第２立ち上がり部５９に固定される。案内部６２と支持部６３とが連結される部分である屈曲部は、第２フレーム５１の第２立ち上がり部５９の上端と平行に形成される。
【００５８】
このようにして第２躯体３ｂには、対向壁部５４の第１躯体３ａに対向する第１対向壁面である対向壁面３６が形成され、滑板５２および第２フレーム５１の水平部５８の上面である第１支持面７３が形成され、案内部材９の案内部６２の第１被案内面６０に臨む表面である案内面６４が形成され、案内部材９の支持部６３の上面である第２支持面７５が形成され、第２フレーム５１の第２立ち上がり部５９の表面である立ち上がり面９１が形成される。
【００５９】
このようにして構成される案内部材９は、各躯体３ａ，３ｂが互いに近接する方向に相対変位すると、被案内部２７が摺動し、カバー体５を上方に案内して見切り部６６を回避させる。見切り部６６とは、第２フレーム５１の第２立ち上がり部５９によって形成される第２躯体３ｂの見切り部分と同義である。案内部材９は、各躯体３ａ，３ｂが互いに近接する方向に相対変位する際、第１補助カバー部材６が見切り部６６に当接せずに回避するために以下のように構成される。装着状態における第１補助カバー部材６は、カバー体５から第１方向に最も離反する端面２６（以下「第１補助カバー部材の先端２６」と称する場合がある）（面Ｑ１）と立ち上がり面９１（面Ｑ２）との水平距離を距離Ｌ１とし、第１被案内面６０の下端Ｐ１と、案内面６４（面Ｐ２）との水平距離を距離Ｌ２とし、第２支持面７と床面６５との段差を距離ΔＬとする。第１補助カバー部材６が見切り部６６に当接せずに回避するためには、被案内部２７が案内部６２に当接する状態で、第１補助カバー部材６と見切り部６６との間に間隙が形成されていることが必要である。したがって案内部材９は、距離Ｌ１が距離Ｌ２より大きく形成される、すなわちＬ１＞Ｌ２の関係を満たして形成される。さらに具体的に説明すると、第１補助カバー部材６が見切り部６６に当接せずに回避するためには、前記点Ｑ１が装着状態から第２躯体３ｂに対して右方向に距離Ｌ２変位する状態、すなわちカバー体５が装着状態から第２躯体３ｂに対して右方向に距離Ｌ２変位する状態で、第１補助カバー部材６が少なくとも高さΔＬ上方に変位する必要がある。このためにカバー体５、第１補助カバー部材６および案内部材９は、
（Ｌ１−Ｌ２）sinθ＞ΔＬ                                       …（１）
を満たして形成される。このように構成すると、案内部材９は、第１補助カバー部材６に見切り部６６に当接せずに回避させることができる。さらに第１被支持部材２１および第２被支持部材２８は、ΔＬ以上の厚みに形成される。これによって第１被支持部材２１に形成される被案内部２７の高さはΔＬ以上に形成される。
【００６０】
図１０は、カバー体５の第１および第２被支持部材２１，２８の第２躯体３ｂに対する相対変位を示す拡大断面図である。図８において、各躯体３ａ，３ｂが互いに離反する方向に相対変位する際の第２被支持部材２８近傍の変位を１点鎖線で示し、各躯体３ａ，３ｂが互いに近接する方向に相対変位する際の第１被支持部材２１近傍の変位を２点鎖線で示す。カバー体５は、各躯体３ａ，３ｂが互いに離反する方向に変位すると、第１床３７ａに係止されているので、第２躯体３ｂに対して左方向に移動する。第１および第２被支持部材２１，２８は、滑板５２に支持されつつ左方向に滑動する。第２被支持部材２８は、装着状態から距離Ｌ３以上左方向に滑動すると、滑板５２から離脱する。距離Ｌ３は、装着状態において第２被案内面２９の下端から滑板５２のＸ方向左端までの水平距離と同義である。第２被支持部材２８が滑板５２から左方に離脱すると、カバー体本体１０が撓んで第２被支持部材２８の下面が第１支持面７３より下方に配置される。この状態から各躯体３ａ，３ｂが互いに近接する方向に変位すると、第２被支持部材２８が滑板５２に当接する。第２被支持部材２８は、第２被案内面２９が傾斜しているので、滑板５２によって第１支持面７３に案内され、円滑に乗り上げることができる。
【００６１】
カバー体５は、各躯体３ａ，３ｂが互いに近接する方向に相対変位すると、第１床３７ａに係止されているので、第２躯体３ｂに対して右方向に変位する。第１被支持部材２１は、第２支持面７３に支持されつつ右方向に滑動する。装着状態から第２躯体３ｂが第１躯体３ａに対して距離Ｌ２以上近接する方向に相対変位すると、被案内部２７は案内面６４の傾斜に沿って上方に摺動する。これによってカバー体５は、第１方向他端部５３が上方に移動し、係止される第１方向一端部８を中心に上方に角変位する。カバー体５が角変位する際、第１補助カバー部材６は、Ｌ１＞Ｌ２の関係に選ばれて形成されるので、見切り部６６を当接せずに回避することができる。さらに装着状態から第２床３７ｂが第１躯体３ａに対して距離Ｌ４以上右方向に相対変位すると、被案内部２７が見切り部６６に当接する。カバー体５は、第１被案内面６０が傾斜しているので、第１方向他端部５３が見切り部６６によって上方に案内されて、見切り部６６を回避し床面６５に円滑に乗り上げることができる。距離Ｌ４は、第１被案内面６０の下端と見切り部６６の上端との水平距離と同義である。このようにカバー体５および第１補助カバー部材６は、各躯体３ａ，３ｂが互いに近接する方向に相対変位すると、見切り部６６を回避し、各躯体３ａ，３ｂが互いに近接する方向に相対変位することを円滑に許容できる。
【００６２】
このようにカバー体５が、第１方向一端部８を中心に上方に角変位していくと、端版１５が第１フレーム４１に当接する。ねじ部４０ｂが相対変位可能にボルト挿通孔２０に挿通されているので、カバー体５は、第２躯体３ｂに対するＸ方向への摺動変位が許容される。したがって端版１５が第１フレーム４１に当接する状態であっても、摺動変位することによってカバー体５がさらに上方に角変位することを許容する。
【００６３】
以下ではこのようにして構成される伸縮案内装置１が奏する効果について説明する。本実施の形態の伸縮案内装置１によれば、カバー体５は、２つの躯体３ａ，３ｂ間に形成される空隙４を覆い、各躯体３ａ，３ｂが互いに近接および離反する方向に相対変位すると、第１躯体３ａの相対変位に追従し、第２躯体３ｂに対して相対変位する。カバー体５は、第２躯体３ｂに対して右方向に相対変位すると、その第１方向他端部５３が案内面６４に沿って上方に案内され見切り部６６を回避する。距離Ｌ１と距離Ｌ２との関係がＬ１＞Ｌ２に選ばれているので、カバー体５が第２躯体３ｂに対して相対変位する際、第１補助カバー部材６は、見切り部６６に当接せずに回避することができる。カバー体５は、２つの躯体３ａ，３ｂ間に形成される空隙４を覆うことができる。カバー体５は、第１補助カバー部材６が見切り部６６に当接することが未然に防止されているので、他方の躯体上を円滑に移動することができる。したがって各躯体３ａ，３ｂが互いに近接および離反する方向の相対変位を円滑に許容することができる。さらに第１補助カバー部材６が見切り部６６に当接せずに回避するので、カバー体５に大きな荷重が作用しても、第１補助カバー部材６が突っ張って損傷することがない。このような簡単な構造で、第１補助カバー部材６が立ち上がり面９１を回避し、２つの躯体の相対変位を円滑に許容できるので、従来よりも部品点数を削減することができる。これによって製造コストを削減することができる。
【００６４】
第１補助カバー部材６は、支持部６３から立ち上がる立ち上がり面９１を第１補助カバー部材６の厚み程度の高さに形成することによって、床面６５と第１補助カバー部材６の上面との段差をなくすことができる。これによって各躯体３ａ，３ｂの相対変位を円滑に許容できるうえ、第１補助カバー部材６と床面６５との間の通行がさらに安全かつ円滑に行うことができる。
【００６５】
本実施の形態の伸縮案内装置１によれば、第１被案内面６０が右方向に向かうにつれて上方に向かって傾斜して形成されるので、被案内部２７が見切り部６６に万一当接し、各躯体３ａ，３ｂが近接する方向に相対変位する場合であっても、見切り部６６の上端によって上方に案内され、床面６５に乗り上げる。具体的には、第１躯体３ａが第２躯体３ｂに対して上方に相対変位し、第１被支持部材２１が支持部６３に支持されて、各躯体３ａ，３ｂが互いに近接する方向に変位すると、カバー体５の第１方向他端部５３が見切り部６６に当接する。被案内部２７の高さがΔＬ以上に形成されるので、被案内部２７が見切り部６６の上端に当接し、カバー体５が上方に案内され、床面６５に乗り上げる。このように被案内部２７は、上方に案内され見切り部６６を回避することができる。これによって被案内部２７が見切り部６６と引っ掛かる不具合を防止でき、各躯体３ａ，３ｂの相対変位が円滑に許容される。さらに前記不具合に基づく被案内部２７および見切り部６６の破損を防止できる。また第１被案内面６０が上方に向かって傾斜して形成されるので、従来のようにカバー体５の他端部５３の表面全体を第１案内面６４に沿って形成する必要がない。これによって従来よりも、施工において誤差を吸収しやすく、カバー体５の位置などの調整が容易になる。
【００６６】
本実施の形態の伸縮案内装置１によれば、被案内部２７は、第１の従来の技術の床用目地カバー装置の案内面を摺動する他端部に比べて接触面積が小さい。２つの物体が摺動する際、各物体の接触面に形成される微小な突起部同士が引っ掛かり摺動を規制する。したがって接触面積が大きくなるとともに突起部同士の引っ掛かりが多くなり、摺動抵抗が増加する。本発明の伸縮案内装置１では、床用目地カバー装置に比べて接触面積が小さく摺動抵抗が小さい。したがって被案内部２７が従来の床用目地カバー装置に比べて小さな力で案内部６２を摺動するので、各躯体３ａ，３ｂの相対変位を円滑に許容することができる。また被案内部２７が第１被支持部材２１と端版部２４とを溶接して肉盛し、この肉盛を削ることによって容易に構成できるので、伸縮案内装置１は、第２の従来の技術の床用伸縮継手装置に比べて構成が簡単であり、製作費を低減することができる。
【００６７】
本実施の形態の伸縮案内装置１によれば、カバー体５は、第１被支持部材２１と第２被支持部材２８とが滑板５２に移動可能に支持されるので、従来のカバー体より滑板５２に接触する接触面積が小さい。接触面積が小さいと、摺動抵抗を低減することができ、各躯体３ａ，３ｂの相対変位が円滑に許容される。第２被支持部材２８は、第２被案内面２９が滑板５２に当接して、各躯体３ａ，３ｂが互いに近接する方向に相対変位すると、滑板５２によって上方に案内され、第１支持面７３に乗り上がる。これによって、第２被支持部材２８と滑板５２とが引っ掛かる不具合を防止でき、各躯体３ａ，３ｂの相対変位が円滑に許容される。さらに前記不具合に基づく第２被支持部材２８および見切り部６６の破損を防止できる。
【００６８】
さらにカバー体５の他端部５３と第１および第２被支持部材２１，２８とによって、カバー体５と第１支持面７３との間に部分的に間隙が生じる。したがって第１支持面７３上に堆積する砂およびごみなどを間隙を介して空隙に排出することができる。これによってカバー体と躯体との間に堆積する砂などを速やかに空隙に排出され、砂およびごみなどの堆積物によって生じる目詰まりなどが生じることを抑制する。これによってカバー体５が第１支持面７３を円滑に移動することができ、第１および第２躯体３ａ，３ｂの相対変位を円滑に許容することができる。
【００６９】
本実施の形態の伸縮案内装置１によれば、カバー体５は、格子状に形成されるカバー体本体１０を有するので、雨および排水などの液体を透孔１３から透過させて、空隙４である排水溝に導くことができる。これによってカバー体５は、空隙４を覆いつつ、液体を空隙４である排水溝に導くことができ、人および物体が空隙４に嵌り込むことを抑制し、排水性を確保できる。カバー体５は、第１および第２被支持部材２１，２８が離隔してカバー体本体１０に形成され、複数の滑板５２が互いにＹ方向に離隔して配置される。これによってカバー体５に導かれる液体が、第１被支持部材２１、第２被支持部材２８および滑板５２上に溜まることを防ぎ、前記液体を排水溝に排水することができる。カバー体５がグレーチングであるので、カバー体本体１０の周縁部をカバー体本体１０から離反するにつれて上方に傾斜させて形成することが困難である。このためカバー体本体１０の端部に取付片２３を設けてカバー体５に第１補助カバー部材６を取付けている。このような構成によって、カバー体５の他端部が案内面６４を摺動可能な伸縮案内装置１の実現を容易にすることができる。
【００７０】
図１１は、出隅部における実施の第２の形態の伸縮案内装置１Ａを上方から見た平面図である。図１２は、伸縮案内装置１Ａの一部の拡大平面図である。図１３は、図１１の断面線ＩＩ−ＩＩから見た伸縮案内装置１の一部の拡大断面図である。空隙４をあけて隣接する２つの躯体６８ａ，６８ｂが形成する出隅における伸縮案内装置１Ａについて説明する。一方の躯体６８ａである第３躯体６８ａには、出隅部が形成される。他方の躯体６８ｂである第４躯体は、第３躯体６８ａに空隙４をあけて隣接する。第３および第４躯体６８ａ，６８ｂは、互いに対向する対向壁面がＬ字状に形成される。このように形成される２つの躯体６８ａ，６８ｂを正面側から左右に見て、前方に第４躯体６８ｂを見る状態で、左右の方向をＸ方向とし、前方および後方に相当する方向をＹ方向、および各躯体６８ａ，６８ｂの高さ方向をＺ方向とする。
【００７１】
第３躯体６８ａは、その第４躯体６８ｂに対向する対向壁面のうち一方の対向壁面１０９ａがＹ方向に延び、他方の対向壁面１０９ｂがＸ方向に延びて形成される。第３躯体６８ａには、出隅部が形成される第３床６７ａおよび係止手段２を含む。第３床６７ａの出隅部には、その周縁部に複数の係止手段２が設けられる。具体的には、各対向壁面にそれぞれ連なる２つの縁部９２ａ、９２ｂに２つの係止手段２がそれぞれ設けられる。
【００７２】
第４躯体６８ｂには、第４床６７ｂと支持手段３８Ａが含まれる。第４床６７ｂには、対向壁部５４Ａ、水平部５５Ａおよび立ち上がり部５６Ａが形成される。対向壁部５４Ａ、水平部５５Ａおよび立ち上がり部５６Ａは、Ｚ方向平面視でＬ字状に形成される。対向壁部５４Ａは、第１対向壁部１００と第２対向壁部１０１とが形成される。第１対向壁部１００は、Ｙ方向に延びる壁部であって、第３躯体６８ａの一方の対向壁面１０９ａに対向する壁部である。第２対向壁部１０１は、第１対向壁部１００の一端から第１対向壁部１００に対して離反する方向、すなわち右方向に延びる壁部であって、第３躯体６８ａの他方の対向壁面１０９ｂに対向する壁部である。水平部５５Ａには、第１対向壁部１００の上端から一方の対向壁面１０９ａに対して離反する方向、すなわち左方向に延びる第１水平面部と、第２対向壁部１０１の上端から他方の対向壁面１０９ｂに対して離反する方向、すなわち後方向に延び、第１水平面部に連なる第２水平面部とが形成される。立ち上がり部５６には、第１水平面部および第２水平面部から上方にそれぞれ立ち上がる第１立設部１０２と第２立設部１０３とが形成される。床面部６１は、第１立設部１０２と第２立設部１０３とに連なり、ＸおよびＹ方向に延びて形成される。この第１および第２立設部１０２，１０３は、互いに連結され、この連結される部分に角部７０が形成される。
【００７３】
水平部５５Ａには、立ち上がり部５６Ａに沿ってＬ字状に延びる支持手段３８Ａが設けられる。水平部５５Ａには、具体的には、Ｚ方向平面視でＬ字状に形成される複数の台座５０がＸおよびＹ方向に等間隔に配置される。この台座５０の上面部には、第２フレーム５１Ａが設けられる。第２フレーム５１Ａは、Ｚ方向平面視でＬ字形状に形成され、Ｘ方向に延びる部分とＹ方向に延びる部分とを有する。第２フレーム５１Ａの上面部の立ち上がり部側の部分には、上下方向平面視でＬ字状に形成される案内部材９Ａが設けられる。残余部分のＸ方向に延びる部分には、Ｙ方向に等間隔をあけて複数の滑板５２が配置され、残余部分のＹ方向に延びる部分には、Ｘ方向に等間隔をあけて複数の滑板５２が配置される。
【００７４】
案内部材９Ａには、左方向に向かうにつれて上方に傾斜する第１案内部１０４と後方向に向かうにつれて上方に傾斜する第２案内部１０５とが形成される。第１案内部１０４と第２案内部１０５とは、連なって形成される。案内部材９Ａは、その連なる部分に隅角部７６が形成される。さらに案内部材９Ａは、第１案内部１０４から左方向に延びる第１支持部１０６と第２案内部１０５から後方向に延びる第２支持部１０７とが形成される。
【００７５】
空隙４をあけて隣接する２つの躯体６８ａ，６８ｂ間にわたって２つのカバー体５が装着される。
【００７６】
２つのカバー体５ａ、５ｂのうち一方のカバー体５ａ（以下、「第１カバー体５ａ」と称する場合がある）は、実施の第１の形態のカバー体５の構成と同一であり、他方のカバー体５ｂ（以下、「第２カバー体５ｂ」と称する場合がある）は、前記カバー体５の構成と類似する。第２カバー体５ｂの構成について、異なる点についてだけ説明し、同一の構成について同一の符号を付して説明を省略する。第２カバー体５ｂは、その上下方向平面視において第１カバー体５ａに対して左右反対の形状に形成される。つまり第２カバー体５ｂは、その第２方向他端部３１が第１方向一端部１４から他端部２２に向かうにつれて第２方向一端部３０から他端部３１に向かって突出するように形成される。具体的には、第２方向他端部３１が第１方向他端部に対して４５度の角度に傾斜して形成される。第２カバー体５ｂの第２方向他端部３１には、第３被支持部材３２および第２補助カバー部材７が取付けられる。
【００７７】
第１および第２カバー体５ａ，５ｂは、各第２補助カバー部材７同士を間隙あけて突き合せて配置してＬ字状のカバー体ユニット６９を構成する。カバー体ユニット６９は、第３躯体６８ａと第４躯体６８ｂとの間に装着される。第１カバー体５ａの第１方向一端部１４は、一方の前記縁部９２ａに形成される係止手段２によって第３躯体６８ａに係止される。第２カバー体５ｂの第１方向一端部１４は、他方の前記縁部９２ｂに形成される係止手段２によって第３躯体６８ａに係止される。さらに第１および第２カバー体５の第１方向他端部５３が支持手段３８Ａに移動可能にそれぞれ支持される。このようにして各躯体６８ａ，６８ｂに装着されると、第１および第２カバー体５ａ，５ｂの各当接部７７が隅角部７６に臨むように装着される。第２フレーム５１には、複数の滑板５２に加えて滑板５２Ａが設けられる。滑板５２Ａは、各躯体６８ａ，６８ｂにカバー体ユニット６９が装着される状態で、第１および第２カバー体５ａ、５ｂの各第３被支持部材３２に沿って配置され、第３被支持部材３２を移動可能に支持する。滑板５２Ａは、各第３被支持部材３２を円滑に移動可能に支持する。具体的には、滑板５２Ａは、第１対向壁部１００と第２対向壁部１０１とが連なる部分の上端から隅角部７６の下端まで配置される。滑板５２Ａは、前記上端と下端とを結ぶ線に対して左右対称な形状に形成される。前記滑板５２Ａは、１つの部材で構成され、たとえば１枚のテフロン（登録商標）加工されたゴム板によって形成される。
【００７８】
このようにしてカバー体ユニット６９を２つの躯体６８ａ，６８ｂ間に装着すると、第１および第２カバー体５ａ，５ｂが突き合わされる部分に、間隙を形成することができる。また互いに突き合わされる第２補助カバー部材７によって、各補助カバー部材３４同士を離隔させることができる。
【００７９】
このようにして構成される第４躯体６８ｂにおいて、第１対向壁部によって第３躯体６８ａの一方の対向壁面１０９ａに対向する第１対向壁面１０８が形成される。第２フレーム５１Ａおよび滑板５２，５２Ａによって、第１対向壁面１０８の上端から左方向に延びる第１支持面７３が形成される。第１案内部１０４によって第１案内面６４が形成され、第１支持部１０６によって第２支持面７５が形成される。
【００８０】
さらに第２対向壁部によって第３躯体６８ａの他方の対向壁面１０９ｂに対向する第２対向壁面１１０が形成される。第２フレーム５１および滑板５２，５２Ａによって、第２対向壁面１１０の上端から後方向に延びる第３支持面１１１が形成される。第２案内部１０５によって第２案内面１１２が形成され、第２支持部１０７によって第４支持面１１３が形成される。第１および第２立設部１０２，１０３の一部によって、第２および第３支持面７５，１１１から上方に立ち上がる立ち上がり面６５が形成される。
【００８１】
本実施の形態の伸縮案内装置１Ａによれば、第３床６７ａに形成されるＬ字状の空隙４をカバー体ユニット６９によって塞ぐことができる。２つの躯体６８ａ，６８ｂが相対変位すると、各カバー体５ａ，５ｂに各第２補助カバー部材７が互いに近接する方向に力が作用し、各カバー体５ａ，５ｂは、前記方向に相対変位する場合がある。このとき第２補助カバー部材７によって各第３被支持部材３２を離隔させているので、各第３被支持部材３２が互いに接触することを防止する。これによって各カバー体５ａ，５ｂ同士の接触にともなう各カバー体５ａ，５ｂの破損および接触音を防ぐことができる。カバー体同士が接触および引っ掛かる不具合を防止し、各第３被支持部材３２が円滑に滑板５２，５２Ａ上を移動することができる。
【００８２】
本発明によれば、各第２補助カバー部材７同士の間に間隙が形成されるので、各躯体６８ａ，６８ｂが相対変位しても、各第２補助カバー部材７同士が接触することを抑制できる。また各第２補助カバー部材７の端縁３３が外方に凸に、上下方向に湾曲して形成されるので、各第２補助カバー部材７は、互いに当接しても、上方および下方のいずれか一方にそれぞれ回避させる。これによって第３および第４躯体６８ａ，６８ｂ間に各カバー体５ａ，５ｂを装着して、各カバー体５ａ，５ｂが互いに近接する方向に相対変位しても、各第２補助カバー部材７は、それぞれ上方または下方に回避し引っ掛かる不具合を防止する。引っ掛かる不具合を防止できるので、各躯体６８ａ，６８ｂ間の相対変位を円滑に許容することができる。さらに前記不具合に基づく第２補助カバー部材７の変形および破損を抑制する。
【００８３】
さらに第２補助カバー部材７が互いに接触するので、従来のようにカバー体５同士が当接して生じる騒音より騒音を小さくすることができる。さらに第２補助カバー部材７は、各第３被支持部材３２を離隔することによって形成される空間を塞ぎ、各カバー体５ａ，５ｂ上の安全かつ円滑な通行を確保することができる。
【００８４】
本実施の形態の伸縮案内装置１Ａによれば、各躯体６８ａ，６８ｂがＹ方向に相対変位すると、第１カバー体５ａは、第３被支持部材３２が第２案内面１１２に沿って第４躯体６８ｂ上を摺動する。このとき第２カバー体５ｂは、その被案内部２７が第２案内面１１２に沿って第４躯体６８ｂ上を摺動する。さらに各躯体６８ａ，６８ｂがＸ方向に相対変位すると、第１カバー体５ａは、その被案内部２７が第１案内面６４に沿って第４躯体６８ｂ上を摺動する。このとき第２カバー体５ａは、その第３被支持部材３２が第１案内面６４に沿って第４躯体６８ｂ上を摺動する。このように第１および第２カバー体５ａ、第５ｂが相対変位するので、Ｘ方向およびＹ方向の２方向成分が合成される相対変位を円滑に許容することができる。
【００８５】
本実施の形態の伸縮案内装置１Ａによれば、各躯体６８ａ，６８ｂがＸ方向およびＹ方向が２方向成分が合成される方向に相対変位すると、各カバー体５ａ，５ｂの当接部７７が隅角部７６に当接する場合がある。この場合であっても、当接部７７は、その端面が先端に向かって外方に凸に湾曲して形成されるので、その端面が隅角部７６の先端の近傍に当接し、その先端が隅角部７６の先端への噛み込みを防止できる。したがって第１カバー体５ａは、当接部７７が先鋭状に形成される場合、その先端が隅角部７６の先端への噛み込み、いわゆる楔効果が生じるけれども、本実施の形態ではこれを防止できる。このように楔効果を防止できるので、第１および第２カバー体５ａ，５ｂを他方の躯体６８ｂに対して円滑に移動させることができる。これによって各躯体６８ａ，６８ｂのＸ方向およびＹ方向の２方向成分が合成される相対変位を円滑に許容することができる。このように楔効果が生じることを防止し、これにともなう当接部７７の破損を防止することができる。また当接面７９が上方に向かって湾曲して形成されるので、隅角部７６の下端部に当接部７７の下端が噛み込む楔効果を防止することができる。
【００８６】
本実施の形態の伸縮案内装置１Ａによれば、第３被案内面７８が形成されるので、第３被案内面７８が見切り部６６に当接する状態で、各躯体６８ａ，６８ｂが相対変位しても、第１および第２カバー体５ａ、５ｂは、見切り部６６によって上方に案内される。これによって各第３被支持部材３２は、見切り部６６を回避することができる。これによって第３被支持部材３２が見切り部６６に引っ掛かる不具合を防止し、各躯体６８ａ，６８ｂの相対変位を円滑に許容することができる。さらに前記不具合に基づく、第３被支持部材３２の破損を防止できる。
【００８７】
本実施の形態の伸縮案内装置１Ａによれば、補助カバー部材３４の頂部３５が、その先端に向かって外方に凸に湾曲して形成されるので、当接部７７と同様に第４躯体６８ｂの角部７０の先端に噛み込むことが防止できる。これによって万一頂部３５が見きり部６６２当接する場合であっても、第１および第２カバー体５ａ，５ｂの円滑な移動が可能となり、第３および第４躯体６８ａ，６８ｂの相対変位を円滑に許容できる。
【００８８】
本実施の形態の伸縮案内装置１Ａによれば、第３被支持部材３２に沿って形成される滑板５２Ａは、第３被支持部材３２の円滑な移動を可能とする。前記滑板５２Ａを１つの部材によって構成することによって、複数の部材で構成される場合に形成される段差をなくすことができる。これによって各躯体６８ａ，６８ｂがＸ方向およびＹ方向の２方向成分が合成される相対変位をしても、第３被支持部材３２は、滑板５２Ａに引っ掛かることなく滑板５２Ａ上を円滑に移動することができる。これによって各躯体の相対変位を円滑に許容することができる。さらに第１の実施の形態の伸縮案内装置１と同様の効果を奏する。
【００８９】
図１４は、本発明の実施の第３の形態である伸縮案内装置１Ｂを上方から見た平面図である。図１５は、伸縮案内装置１Ｂのカバー体５Ｂの第１方向他端部５３付近の拡大断面図である。伸縮案内装置１Ｂは、第１の実施の形態の伸縮案内装置１と構成が類似しており、異なる点について説明し、同一の構成については同一の符号を付して説明を省略する。伸縮案内装置１Ｂには、２つの躯体３ａ，３ｂ、カバー体５Ｂ、第１補助カバー部材６および第２補助カバー部材７とが含まれる。カバー体５Ｂには、カバー体本体１０、端版１５、仕切り版１７、被支持体１９、第１被支持部材２１、被案内部２７および第２被支持部材２８が含まれる。カバー体本体１０Ｂは、第１方向一端部１４の開口部が端版１５によって塞がれ、第１方向一端部１４に第２方向に等間隔に複数の被支持体１９と複数の仕切り版１７とが形成される。カバー体本体１０Ｂは、第１方向他端部２２に取付片２３が設けられ、前記他端部２２に取付片２３を用いて第１補助カバー部材６が設けられる。カバー体本体１０Ｂに形成される第１被支持部材２１の第１方向一端部１４から他端部２２に向かう方向に臨む表面および取付片２３の下端には、被案内部２７Ｂが形成される。被案内部２７Ｂは、第１被支持部材２１のカバー体本体１０の第１方向一端部１４から他端部２２に向かう方向に臨む表面および取付片２３の下端を前記第１方向一端部１４から他端部２２に向かうにつれて上方にむかって傾斜させて形成する。被案内部２７Ｂの傾斜面の第１被支持部材２１の下面に対する傾斜角は、案内面６４と同様の傾斜角θに形成される。ただしこのような傾斜角に限定されず、被案内部２７Ｂと案内面６４との傾斜角が互いに異なる傾斜角であってもよい。
【００９０】
カバー体本体１０Ｂの第２方向一端部３０は、カバー体本体１０Ｂの第１方向一端部１４から他端部２２に向かうにつれて、第２方向一端部３０から他端部３１に向かう方向に向かうように傾斜して形成される。カバー体本体１０Ｂの第２方向一端部３０には、その開口部を塞ぐように第３被支持部材３２が設けられる。カバー体本体１０Ｂの第２方向一端部３０には、第３被支持部材３２の上面で支持される第２補助カバー部材７Ｂが取付けられる。第２補助カバー部材７Ｂは、その長手方向一端部に第１補助カバー部材６が連結され、長手方向他端部の第２方向一端部が平面視で湾曲して形成される、具体的には円弧状に形成される。第１および第２補助カバー部材６，７Ｂを連結して構成される補助カバー部材３４Ｂは、へ字状に構成される。補助カバー部材３４Ｂは、その頂部３５ＢがＺ方向の平面視で湾曲して、具体的には扇状に形成される。
【００９１】
本実施の形態の伸縮案内装置１Ｂによれば、第１の実施の形態の伸縮案内装置１と同様の効果を奏する。
【００９２】
図１６は、入隅部における実施の第４の形態の伸縮案内装置１Ｃを上方から見た平面図である。図１７は、伸縮案内装置１Ｃの一部の拡大平面図である。空隙４をあけて隣接する２つの躯体７２ａ，７２ｂが形成する出隅における伸縮案内装置１Ｃについて説明する。一方の躯体７２ａである第５躯体７２ａには、入隅部が形成される。他方の躯体７２ｂである第６躯体は、第５躯体７２ａに空隙４をあけて隣接する。第５および第６躯体７２ａ，７２ｂは、互いに対向する対向壁面がＬ字状に形成される。このように形成される２つの躯体７２ａ，７２ｂを正面側から左右に見て、前方に第５躯体７２ａを見る状態で、左右の方向をＸ方向とし、前方および後方に相当する方向をＹ方向、および各躯体７２ａ，７２ｂの高さ方向をＺ方向とする。
【００９３】
第５躯体７２ａは、その第６躯体７２ｂに対向する対向壁面のうち一方の対向壁面１０９ａがＹ方向に延び、他方の対向壁面１０９ｂがＸ方向に延びて形成される。第５躯体７２ａには、入隅部が形成される第５床７１ａおよび係止手段２を含む。第５床７１ａの入隅部には、その周縁部に複数の係止手段２が設けられる。具体的には、係止手段２は、各対向壁面にそれぞれ連なる２つの縁部９３ａ，９３ｂにそれぞれ設けられる。第６躯体７２ｂには、第６床７１ｂと支持手段３８が含まれる。第６床７１ｂには、対向壁部５４Ｃ、水平部５５Ｃ、立ち上がり部５６Ｃおよび床面部６１が形成される。対向壁部５４Ｃ、水平部５５Ｃおよび立ち上がり部５６Ｃは、Ｚ方向平面視でＬ字状に形成される。対向壁部５４Ｃは、第１対向壁部１００Ｃと第２対向壁部１０１Ｃとが形成される。第１対向壁部１００Ｃは、Ｙ方向に延びる壁部であって、第５躯体７２ａの一方の対向壁面１０９ａに対向する壁部である。第２対向壁部１０１Ｃは、第１対向壁部１００Ｃの一端から第１対向壁部１００Ｃから離隔する位置から近接する方向、すなわち右方向に延びる壁部であって、第５躯体７２ａの他方の対向壁面１０９ｂに対向する壁部である。水平部５５Ｃには、第１対向壁部１００Ｃの上端から一方の対向壁面１０９ａに対して離反する方向、すなわち右方向に延びる第１水平面と、第２対向壁部の上端から他方の対向壁面１０９ｂに対して離反する方向、すなわち前方向に延び、第１水平面部に連なる第２水平面部とが形成される。立ち上がり部５６Ｃには、第１水平面部および第２水平面部から上方にそれぞれ立ち上がる第１立設部１０２Ｃと第２立設部１０３Ｃとが形成される。床面部６１は、第１立設部１０２Ｃと第２立設部１０３Ｃとに連なり、ＸおよびＹ方向に延びて形成される。この第１および第２立設部１０２Ｃ，１０３Ｃは、互いに連結され、この連結される部分に角部７０Ｃが形成される。水平部５５Ｃには、対向壁面５４Ｃに沿ってＬ字状に延びる支持手段３８Ｃが設けられる。水平部５８Ｃには、具体的には、Ｚ方向平面視でＬ字状に形成される複数の台座５０ＣがＸおよびＹ方向に等間隔に配置される。この台座５０Ｃの上面部には、第２フレーム５１Ｃが設けられる。第２フレーム５１Ｃは、Ｚ方向平面視でＬ字形状に形成され、Ｘ方向に延びる部分とＹ方向に延びる部分とを有する。第２フレーム５１Ｃの上面部の立ち上がり部側の部分には、上下方向平面視でＬ字状に形成される案内部材９Ｃが設けられる。第２フレーム５１Ｃの上面部の立ち上がり部側の部分には、上下方向平面視でＬ字状に形成される案内部材９Ｃが設けられる。残余部分のＸ方向に延びる部分には、Ｙ方向に等間隔をあけて複数の滑板５２が配置され、残余部分のＹ方向に延びる部分には、Ｘ方向に等間隔をあけて複数の滑板５２が配置される。
【００９４】
案内部材９Ｃには、右方向に向かうにつれて上方に傾斜する第１案内部１０４Ｃと前方向に向かうにつれて上方に傾斜する第２案内部１０５Ｃとが形成される。第１案内部１０４Ｃと第２案内部１０５Ｃとは、連なって形成される。案内部材９Ｃは、第１案内部１０４Ｃから右方向に延びる第１支持部１０６Ｃと第２案内部１０５Ｃから前方向に延びる第２支持部１０７Ｃが形成される。
【００９５】
このように空隙４をあけて隣接する２つの躯体７２ａ，７２ｂ間にわたって２つのカバー体５が装着される。
【００９６】
２つのカバー体５ｃ，５ｄのうち一方のカバー体５ｃ（以下、「第３カバー体５ｃ」と称する場合がある）は、第３の形態のカバー体５Ｂの構成と同一であり、他方のカバー体５ｄ（以下、「第４カバー体５ｄ」と称する場合がある）は、前記カバー体５Ｂの構成と類似する。第４カバー体５ｄの構成について、異なる点についてだけ説明し、同一の構成について同一の符号を付して説明を省略する。第４カバー体５ｄは、その上下方向平面視において、第３カバー体に対して左右反対の形状に形成される。つまり第４カバー体５ｄは、第２方向他端部３１が第１方向一端部１４から他端部２２に向かうにつれて第２方向他端部３１から一端部３０に向かって突出するように形成される。具体的には、第２方向他端部３１が第１方向他端部２２に対して４５度の角度に傾斜して形成される。第４カバー体５ｄの第２方向他端部３１には、第３被支持部材３２および第２補助カバー部材７Ｂが取付けられる。
【００９７】
第３および第４カバー体５ｃ，５ｄを各第２補助カバー部材７Ｂを間隙あけて突き合せて配置して、Ｌ字状のカバー体ユニット６９Ｃを形成する。カバー体ユニット６９Ｃは、第５躯体７２ａと第６躯体７２ｂとの間に装着される。第３カバー体５ｃの第１方向一端部１４は、一方の前記縁部９３ａに形成される係止手段２によって、第５躯体７２ａに係止される。第４カバー体５ｄの第１方向一端部１４は、他方の前記縁部９３ｂに形成される係止手段２によって第５躯体７２ａに係止される。さらに第１および第２カバー体５の第１方向他端部５３が支持手段３８Ｃに移動可能にそれぞれ支持される。第２フレーム５１には、複数の滑板５２に加えて滑板５２Ｃが設けられる。滑板５２Ｃは、各躯体７２ａ，７２ｂにカバー体ユニット６９Ｃが装着される状態で、第３および第４カバー体５ｃ、５ｄの各第３被支持部材３２に沿って配置され、第３被支持部材３２を移動可能に支持する。滑板５２Ｃは、各第３被支持部材３２を円滑に移動可能に支持する。具体的には、滑板５２Ｃは、第１対向壁部１００Ｃと第２対向壁面１０１Ｃとが連なる部分の上端から隅角部７６の下端まで配置される。滑板５２Ｃは、前記上端と下端とを結ぶ線に対して左右対称な形状に形成される。滑板５２Ｃは、１つの部材で構成され、たとえば１枚のテフロン（登録商標）加工されたゴム板によって形成される。
【００９８】
このようにして構成される第６躯体７２ｂにおいて、第１対向壁部１００Ｃによって第５躯体７２ａの一方の対向壁面１０９ａに対向する第１対向壁面１０８が形成される。第２フレーム５１Ｃおよび滑板５２，５２Ｃによって、第１対向壁面１０８の上端から右方向に延びる第１支持面７３が形成される。第１案内部１０４Ｃによって第１案内面６４が形成され、第１支持部１０６Ｃによって第２支持面７５が形成される。
【００９９】
さらに第２対向壁部１０１Ｃによって第５躯体７２ａの他方の対向壁面１０９ｂに対向する第２対向壁面１１０が形成される。第２フレーム５１Ｃおよび滑板５２，５２Ｃによって、第２対向壁面１１０の上端から後方向に延びる第３支持面１１１が形成される。第２案内部１０５Ｃによって第２案内面１１２が形成され、第２支持部１０７Ｃによって第４支持面１１３が形成される。第１および第２立設部１０２Ｃ，１０３Ｃの一部によって、第２および第３支持面１１１から上方に立ち上がる立ち上がり面６５が形成される。
【０１００】
本実施の形態の伸縮案内装置１Ｃによれば、係止される側の端部の被支持面が小さく構造的に入隅部より弱部である出隅部における伸縮案内装置１Ｂによって、各躯体６８ａ，６８ｂの相対変位を円滑に許容し、カバー体ユニット６９Ｃの破損を防止できるので、入隅部においても前記伸縮案内装置１Ｂと同様に、各躯体６８ａ，６８ｂの相対変位を円滑に許容およびカバー体ユニット６９Ｃの破損の防止を伸縮案内装置１Ｃによって実現することができる。
【０１０１】
本実施の形態の伸縮案内装置１Ｃによれば、入隅部にも各躯体７２ａ，７２ｂの相対変位を円滑に許容するカバー体ユニット６９Ｃを設けることができる。したがって第２の実施の形態の伸縮案内装置１Ｂとともに用いることによって、排水溝などの空隙４の出隅部および入隅部に各躯体の相対変位を円滑に許容し、排水性を確保しつつ空隙４を覆うことができる。
【０１０２】
図１８は、実施の第５の形態の伸縮案内装置１Ｄの一部を拡大して平面図である。伸縮案内装置１Ｄは、実施の第２の形態の伸縮案内装置１Ａに構成が類似しており、異なる点だけ説明し、同一の構成については同一の符号を付して説明を省略する。伸縮案内装置１Ｄは、Ｙ方向に延びる第１案内部材１１４と、Ｘ方向に延びる第２案内部材１１５とが形成され、第１案内部材１１４と第２案内部材１１５とによって案内部材９Ｄを構成する。第１案内部材１１４は、第１案内部１０４と第１支持部１０６とを備える。第１案内部材１１４は、Ｙ方向一端が第２立設部１０３からＹ方向に離隔する位置に配置される。第２案内部材１１５は、第２案内部１０５と第２支持部１０７とを備える。第２案内部材１１５は、Ｘ方向一端が第１立設部１０２からＸ方向に離隔する位置に配置される。第１案内部材１１４および第２案内部材１１５は、互いに離隔して配置される。すなわち第１案内面６４と第２案内面１１２とが不連続に形成される。滑板５２Ａは、第１対向壁面１０８および第２対向壁面１１０との連なる部分の上端から第１および第２立設部１０２，１０３が連なる角部７０の下端まで配置される。
【０１０３】
本実施の形態の伸縮案内装置１Ｄによれば、第４躯体６８ｂには、第１案内面６４と第２案内面１１２とが不連続であるので、各カバー体５ａ，５ｂの当接部７７が噛み込む隅角部７６が形成されない。これによって各カバー体５ａ，５ｂの当接部７７が、隅角部７６の先端に噛み込むことが防止され、楔効果が生じることを防止できる。これによって各カバー体５ａ，５ｂは、円滑に第１および第２案内面７５，１１２に沿って移動することができる。したがって各躯体６８ａ，６８ｂの相対変位を円滑に許容することができる。
本実施の形態の伸縮案内装置１Ｄによれば、伸縮案内構造１Ａと同様の効果を奏する。
【０１０４】
図１９は、実施の第６の形態の伸縮案内装置１Ｅの一部を拡大して平面図である。伸縮案内装置１Ｅは、実施の第３の形態の伸縮案内装置１Ｃに構成が類似しており、異なる点だけ説明し、同一の構成については同一の符号を付して説明を省略する。伸縮案内装置１Ｅは、Ｙ方向に延びる第１案内部材１１４Ｅと、Ｘ方向に延びる第２案内部材１１５Ｅとが形成され、第１案内部材１１４Ｅと第２案内部材１１５Ｅとによって案内部材９Ｅを構成する。第１案内部材１１４Ｅは、第１案内部１０４Ｃと第１支持部１０６Ｃとを備える。第１案内部材１１４Ｅは、Ｙ方向一端が第１立設部１０２Ｃと第２立設部１０３Ｃとが連なる部分から前方向に離隔する位置に配置される。第２案内部材１１５Ｅは、第２案内部１０５Ｃと第２支持部１０７Ｃとを備える。第２案内部材１１５Ｅは、Ｘ方向一端が第１立設部１０２Ｃと第２立設部１０３Ｃとが連なる部分から左方向に離隔する位置に配置される。第１案内部材１１４Ｅおよび第２案内部材１１５Ｅは、互いに離隔して配置される。すなわち第１案内面６４と第２案内面１１２とが不連続に形成される。滑板５２Ａは、第１対向壁面１０８および第２対向壁面１１０との連なる部分の上端から第１および第２立設部１０２Ｃ，１０３Ｃが連なる角部７０Ｃの下端まで配置される。
【０１０５】
本実施の形態の伸縮案内装置１Ｅによれば、実施の第４の形態の伸縮案内装置１Ｃおよび実施の第５の形態の伸縮案内装置１Ｄと同様の効果を奏する。
【０１０６】
本実施の形態では、カバー体５，５Ｂが平面視で台形状に形成されているけれども、矩形状であってもよく、２つの躯体間３ａ，３ｂ，６８ａ，６８ｂ，７２ａ，７２ｂに装着可能であればよい。また第２補助カバー部材は、第２方向一端部および他端部のうち一方だけでなく、第２方向一端部および他端部の両端に取付けてもよい。
【０１０７】
本実施の形態では、カバー体は、格子上構造体のグレーチングであるけれども、これに限定されない。たとえば板状の部材であってもよく、グレーチングに限定されない。
【図面の簡単な説明】
【０１０８】
【図１】本発明の実施の一形態である伸縮案内装置１が係止手段２によって係止される位置における構成を示す鉛直断面図である。
【図２】伸縮案内装置１を上方から見た平面図である。
【図３】カバー体５の第１方向一端部８付近の拡大断面図である。
【図４】カバー体５の第１方向他端部５３付近の拡大平面図である。
【図５】カバー体５の第１方向他端部５３付近を上方から見た拡大平面図である。
【図６】カバー体５の第２被支持部材２８付近の拡大断面図である。
【図７】図２の断面線Ｉ−Ｉから見たカバー体５の一部の拡大断面図である。
【図８】矢符Ａから見たカバー体の一部の拡大図である。
【図９】矢符Ｂから見たカバー体の一部の拡大図である。
【図１０】カバー体５の第１および第２被支持部材２１，２８の第２躯体３ｂに対する相対変位を示す拡大断面図である。
【図１１】出隅部に設けられる実施の第２の形態の伸縮案内装置１Ａを上方から見た平面図である。
【図１２】伸縮案内装置１Ａの一部の拡大平面図である。
【図１３】図１１の断面線ＩＩ−ＩＩから見た伸縮案内装置１の一部の拡大断面図である。
【図１４】本発明の実施の第３の形態である伸縮案内装置１Ｂを上方から見た平面図である。
【図１５】伸縮案内装置１Ｂのカバー体５Ｂの第１方向他端部５３付近の拡大断面図である。
【図１６】入隅部に設けられる実施の第４の形態の伸縮案内装置１Ｃを上方から見た平面図である。
【図１７】伸縮案内装置１Ｃの一部の拡大平面図である。
【図１８】実施の第５の形態の伸縮案内装置１Ｄの一部を拡大して平面図である。
【図１９】実施の第６の形態の伸縮案内装置１Ｅの一部を拡大して平面図である。
【符号の説明】
【０１０９】
１  伸縮案内構造
２  係止手段
３ａ  第１躯体
３ｂ  第２躯体
４  空隙
５  カバー体
６  第１補助カバー部材
７  第２補助カバー部材
９  案内部材
１０  カバー体本体
２１  第１被支持部材
２８  第２被支持部材
２７  被案内部
２９  第２被案内面
３３  端縁
３６  対向壁面
５１  第２フレーム
５２  滑板
５４  対向壁面部
６０  第１被案内面
６２  案内部
６３  支持部
６４  案内面、第１案内面
６６  見切り部
６８ａ  第３躯体
６８ｂ  第４躯体
７２ａ  第５躯体
７２ｂ  第６躯体
７３  第１支持面
７５  第２支持面
７６  隅角部
７７  当接部
７９  当接面
１０８  第１対向壁面
１１０  第２対向壁面
１１１  第３支持面
１１２  第２案内面
１１３  第４支持面
１１４  第１案内部材
１１５  第２案内部材
【図１】
2006138124.tif 000003
【図２】
2006138124.tif 000004
【図３】
2006138124.tif 000005
【図４】
2006138124.tif 000006
【図５】
2006138124.tif 000007
【図６】
2006138124.tif 000008
【図７】
2006138124.tif 000009
【図８】
2006138124.tif 000010
【図９】
2006138124.tif 000011
【図１０】
2006138124.tif 000012
【図１１】
2006138124.tif 000013
【図１２】
2006138124.tif 000014
【図１３】
2006138124.tif 000015
【図１４】
2006138124.tif 000016
【図１５】
2006138124.tif 000017
【図１６】
2006138124.tif 000018
【図１７】
2006138124.tif 000019
【図１８】
2006138124.tif 000020
【図１９】
2006138124.tif 000021